(57)【要約】      （修正有）【課題】ＷＭＭ対応の無線ＳＴＡが、ＷＭＭ対応の無線ＡＰが存在するにもかかわらず、ＷＭＭ非対応のＡＰに接続収容されることを防止する。【解決手段】端末装置と複数のアクセスポイント装置と該複数のアクセスポイント装置の無線パラメータ情報を管理する管理装置を備え、管理装置は複数のアクセスポイント装置の各々の通信機能に関する機能情報を格納し、複数のアクセスポイント装置のいずれかを介して端末装置から所定の機能を要求する無線パラメータ設定要求を受信すると、複数のアクセスポイント装置の中から、該所定の機能を有するアクセスポイント装置を選択し、無線パラメータ設定要求の受信の際に介したアクセスポイント装置を経由して、選択されたアクセスポイント装置へ通信接続するための無線パラメータ情報を端末装置へ送信する。【選択図】図３
2011019195.tif 000002
【特許請求の範囲】
【請求項１】
端末装置と複数のアクセスポイント装置と該複数のアクセスポイント装置の無線パラメータ情報を管理する管理装置とを有する通信システムであって、
前記管理装置は、
前記複数のアクセスポイント装置の各々の通信機能に関する機能情報を格納する格納手段と、
前記複数のアクセスポイント装置のいずれかを介して前記端末装置からの無線パラメータ設定要求を受信する受信手段と、
前記無線パラメータ設定要求が所定の機能を要求していることを示す場合、前記複数のアクセスポイント装置の中から、前記機能情報を参照して該所定の機能を有するアクセスポイント装置を選択する第１選択手段と、
前記無線パラメータ設定要求の受信の際に介したアクセスポイント装置を経由して、前記選択されたアクセスポイント装置へ通信接続するための無線パラメータ情報を前記端末装置へ送信する送信手段と
を備えることを特徴とする通信システム。
【請求項２】
前記所定の通信機能は、ＷＭＭ（Ｗｉ-Ｆｉ Ｍｕｌｔｉｍｅｄｉａ）であることを特徴とする請求項１に記載の通信システム。
【請求項３】
前記端末装置は、
前記機能情報を前記管理装置から受信する手段と、
前記機能情報に基づき、前記複数のアクセスポイントの中から前記所定の機能を有するアクセスポイント装置を選択する第２選択手段と、
前記第２選択手段により選択されたアクセスポイント装置へ通信接続する接続手段と
を備えることを特徴とする請求項１に記載の通信システム。
【請求項４】
前記第２選択手段は、前記機能情報と所定の優先条件に基づいて、アクセスポイント装置を選択することを特徴とする請求項３に記載の通信システム。
【請求項５】
前記第２選択手段は、電界強度条件と電波干渉の回避条件とセキュリティ条件と通信プロトコル条件とのいずれか１つの条件を前記所定の優先条件として用いることを特徴とする請求項４に記載の通信システム。
【請求項６】
端末装置と複数のアクセスポイント装置を有する通信システムに含まれ、該複数のアクセスポイント装置の無線パラメータ情報を管理する管理装置であって、
前記複数のアクセスポイント装置の各々の通信機能に関する機能情報を格納する格納手段と、
前記複数のアクセスポイント装置のいずれかを介して前記端末装置からの無線パラメータ設定要求を受信する受信手段と、
前記無線パラメータ設定要求が所定の機能を要求していることを示す場合、前記複数のアクセスポイント装置の中から、前記機能情報を参照して該所定の機能を有するアクセスポイント装置を選択する第１選択手段と、
前記無線パラメータ設定要求の受信の際に介したアクセスポイント装置を経由して、前記選択されたアクセスポイント装置へ通信接続するための無線パラメータ情報を前記端末装置へ送信する送信手段と
を備えることを特徴とする管理装置。
【請求項７】
端末装置と複数のアクセスポイント装置を有する通信システムに含まれ、該複数のアクセスポイント装置の無線パラメータ情報を管理する管理装置の制御方法であって、
格納手段が、前記複数のアクセスポイント装置の各々の通信機能に関する機能情報を格納部へ格納する格納工程と、
受信手段が、前記複数のアクセスポイント装置のいずれかを介して前記端末装置からの無線パラメータ設定要求を受信する受信工程と、
選択手段が、前記無線パラメータ設定要求が所定の機能を要求していることを示す場合、前記複数のアクセスポイント装置の中から、前記機能情報を参照して該所定の機能を有するアクセスポイント装置を選択する選択工程と、
送信手段が、前記無線パラメータ設定要求の受信の際に介したアクセスポイント装置を経由して、前記選択されたアクセスポイント装置へ通信接続するための無線パラメータ情報を前記端末装置へ送信する送信工程と
を備えることを特徴とする制御方法。
【請求項８】
請求項７に記載の制御方法の各工程をコンピュータに実行させるためのプログラム。
【発明の詳細な説明】
【技術分野】
【０００１】
本発明は、所望のアクセスポイント装置との間で無線パラメータを設定する通信システムの無線パラメータ設定に関するものである。
【背景技術】
【０００２】
近年、ＩＥＥＥ８０２．１１無線ＬＡＮの普及により、ホームユースでもＬＡＮを構築し広帯域の無線映像伝送が可能な無線通信機器のホームネットワークシステムが開発されている。この無線映像伝送において、Ｗｉ-Ｆｉでは、ＱｏＳ(Ｑｕａｌｉｔｙ ｏｆ Ｓｅｒｖｉｃｅ) が必要とされる音声や映像を扱う機器向けの無線ＬＡＮ規格「ＩＥＥＥ８０２．１１ｅ」の一部に準拠した「ＷＭＭ（Ｗｉ-Ｆｉ Ｍｕｌｔｉｍｅｄｉａ）」という認証プログラムを実施している。
【０００３】
また、無線ＬＡＮを構成するステーション（以下「ＳＴＡ」と言う）やアクセスポイント（ＡＰ）では、ネットワーク識別子であるＥＳＳＩＤや暗号方式、暗号鍵、認証方式、認証鍵などの無線通信パラメータ（以下、無線パラメータ）をユーザーが設定する必要がある。この設定のため、これらのＳＴＡやＡＰの設定操作等に不慣れなユーザーを対象にＷｉ-Ｆｉでは無線ＬＡＮにおける電波の盗聴や不正アクセスの危険を回避するセキュリティ対策としてＷＰＳ（ＷｉＦｉ Ｐｒｏｔｅｃｔｅｄ Ｓｅｔｕｐ）と称する無線パラメータを簡単に設定する規格を提供している。
【０００４】
この簡単設定機能であるＷＰＳは通常ＳＴＡからのアクティブスキャン方式で開始され、ネットワーク内にある無線パラメータ情報を管理するレジストラ機能を備えた装置との間で所定の手順を用いて実施される。また、最近ではこのレジストラ機能がＷＩＮＤＯＷＳ （登録商標）ＶＩＳＴＡにも搭載されており、パソコン本体がネットワーク内の無線パラメータ情報を管理する装置となるネットワークシステムも存在する。
【０００５】
近年これらの無線パラメータ設定に対応した多くの無線ＡＰ、ＳＴＡが製品化され、以下のような先行技術が知られている。
【０００６】
特許文献１では、無線基地局毎に予め設定されている無線パラメータを記憶管理するホストＰＣに対して、無線端末装置から、無線基地局の識別データを送信する無線通信システムが開示されている。これは、入力識別データによって特定される無線基地局への親局変更要求を行い、ホストＰＣは、その変更先親局に指定された無線基地局の無線パラメータを親局変更要求元の無線端末装置に送信する。その後、無線端末装置は、親局変更要求に対して返信された無線パラメータに更新する。
【０００７】
また特許文献２では、設定時に既存のワイヤレス周辺機器と新たなワイヤレス周辺機器との間において、ネットワーク環境におけるワイヤレス周辺機器の自動構成方法が開示されている。これは、ネットワーク環境に追加する新たなワイヤレス周辺機器に対して既存のネットワーク接続されたワイヤレス周辺機器が無線パラメータ情報等を含むネットワークの構成データを送信するものである。その後、構成データを新たなワイヤレス周辺機器が受信後、構成データを自動的に適用してネットワークオペレーションを開始する。
【先行技術文献】
【特許文献】
【０００８】
【特許文献１】特開２００２-３５９６２２号公報
【特許文献２】特開２００６-０８５７０７号公報
【発明の概要】
【発明が解決しようとする課題】
【０００９】
通常、無線ＳＴＡが無線ＡＰ経由でレジストラ機能を有する装置へ無線パラメータの設定を要求すると、該要求を中継した無線ＡＰに接続するための無線パラメータが無線ＳＴＡへ送信される。
【００１０】
例えばＷＭＭ対応の無線ＳＴＡが、ＷＭＭ非対応の無線ＡＰ経由で無線パラメータの提供を要求すると、該無線ＡＰに接続するための無線パラメータが送信される場合がある。その結果、ＷＭＭ対応の無線ＡＰが周囲に存在するにもかかわらず、無線ＳＴＡはＷＭＭ非対応のＡＰに接続収容されてしまい、ＷＭＭ対応の音声や映像ストリーム等のＱｏＳを実施出来ない、という状況が発生し得る。
【００１１】
本発明は、このような問題を解決する通信システムおよびその制御方法を提供する。
【課題を解決するための手段】
【００１２】
本発明による通信システムは、端末装置と複数のアクセスポイント装置と該複数のアクセスポイント装置の無線パラメータ情報を管理する管理装置とを有し、前記管理装置は、前記複数のアクセスポイント装置の各々の通信機能を識別し、該複数のアクセスポイント装置の情報を格納する格納手段と、前記複数のアクセスポイント装置のいずれかを経由して前記端末装置から無線パラメータ設定要求を受信する受信手段と、前記無線パラメータ設定要求に所定の通信機能が含まれているか否かを判定する判定手段と、前記複数のアクセスポイント装置の中から、前記判定手段により前記所定の通信機能が含まれていると判定された、利用可能なアクセスポイント装置を選択する第１選択手段と、前記無線パラメータ設定要求の受信の際に経由したアクセスポイントを介して、前記選択されたアクセスポイント装置へ接続するための無線パラメータ情報を前記端末装置へ送信する送信手段とを備えることを特徴とする。
【発明の効果】
【００１３】
本発明によれば、所定の通信機能に対応した端末装置が、該通信機能対応のアクセスポイント装置が存在するにも拘らずに、該通信機能に非対応のアクセスポイント装置に接続されるのを防止することが可能となる。
【図面の簡単な説明】
【００１４】
【図１】実施形態に共通なネットワークの構成図である。
【図２】動作完了後のネットワークの構成図である。
【図３】実施形態１での動作シーケンス図である。
【図４】端末装置の動作フローを示す図である。
【図５】登録管理装置の動作フローを示す図である。
【図６】実施形態２での動作シーケンス図である。
【図７】ＡＰ選択処理の詳細を示すフロー図である。
【図８】登録管理装置と端末装置の構成機能ブロック図である。
【図９】登録管理装置と端末装置の詳細な構成機能ブロック図である。
【図１０】ＷＭＭ機能が提供されない場合のネットワークの構成図である。
【図１１】ＷＭＭ機能が提供されない場合の動作シーケンス図である。
【図１２】ＷＭＭ機能を提供するＡＰが存在しない場合のシーケンス図である。
【図１３】受信のタイムアウトによりＷＭＭ機能が提供されない場合のシーケンス図である。
【図１４】登録管理装置を構成するデータベースの詳細ブロック図である。
【発明を実施するための形態】
【００１５】
＜実施形態１＞
図１は、本発明の実施形態に係る通信システムを説明するものであり、複数の通信装置で構成されるネットワークを示している。
【００１６】
登録管理装置１０１は、ネットワーク内のアクセスポイントの無線パラメータ情報を管理する。アクセスポイント（基地局、以下、ＡＰとする）１０２は、ネットワーク内で無線サービスを提供する、ＷＭＭ機能非対応のＡＰである。
【００１７】
ＡＰ１０３は、ＡＰ１０２とは異なる無線サービスを提供する、ＷＭＭ機能対応のＡＰである。ブリッジ１０４は、登録管理装置１０１とＡＰ１０２とＡＰ１０３とに接続され、夫々のネットワーク通信を中継する。ＤＶＣ１０５は、無線通信機能を内蔵したデジタルビデオカメラである。また、ディスプレイ装置１０６も、無線通信機能を内蔵している。
【００１８】
ＤＶＣ１０５とディスプレイ装置１０６は、ＡＰ１０２およびＡＰ１０３に無線接続され、動画伝送時にはそれぞれ、サーバーとプレイヤーとなる。図２は、本発明の実施後の通信システムにおけるネットワークの状態を示したものである、各通信装置１０１〜１０６は、図１と同じであるので説明を省略する。
【００１９】
画面表示２０１は、ＤＶＣ１０５の画面の表示状態を示す。また画面表示２０２は、ディスプレイ装置１０６の画面の表示上体を示す。図２では、本実施形態による動作が完了すると、ＤＶＣ１０５とディスプレイ装置１０６との間において、ＡＰ１０３を介して動画伝送が行われることを示している。
【００２０】
図８は、本実施形態に係る通信システムのブロック図である。図８の左側は、登録管理装置１０１を構成するブロック図を示す。ミドルウエアモジュール８０１は、登録管理装置１０１には、ミドルウエアモジュール８０１と、登録情報管理部８０２とが実装されている。また、格納部であるデータベース８０３も登録管理装置１０１に実装される。データベース８０３の格納データの詳細を図１４（ａ）に示す。また、登録管理装置１０１には制御部８０４を有する。
【００２１】
以上のように、登録管理装置１０１に実装されるミドルウエアモジュール８０１は、登録情報管理部８０２、データベース８０３および制御部８０４の各処理部により構成され、これ以外に入力部８０６と出力部８０７を備えている。また登録管理装置１０１は、有線ネットワーク制御部（Ｗｉｒｅｄ ＬＡＮ）８０５を有する。
【００２２】
図８の左側の端末装置１０５は、サーバーであるＤＶＣまたはプレーヤーであるディスプレイ装置１０６の機能ブロックを示す。ＤＶＣ１０５またはディスプレイ装置１０６には、ミドルウエアモジュール８１１と無線情報管理部８１２とが実装されている。また、格納部であるデータベース８１３も実装されており、このデータベースに格納されたデータの詳細は図１４（ｂ）に示される。更にＤＶＣ１０５あるいはディスプレイ装置１０６には制御部８１４が実装されている。
【００２３】
以上のように、ＤＶＣ１０５またはディスプレイ装置１０６に実装されるミドルウエアモジュール８１１は、無線情報管理部８１２、データベース８１３、制御部８１４の各処理部により構成され、これ以外に入力部８１６と出力部８１７を備えている。またＤＶＣ１０５またはディスプレイ装置１０６は、有線ネットワーク制御部（Ｗｉｒｅｄ ＬＡＮ）８１５を有する。
【００２４】
ＤＶＣ１０５またはディスプレイ装置１０６のメッセージ経路８２０と，登録管理装置１０１のメッセージ経路８２１は、ネットワーク内のＡＰ１０２、ＡＰ１０３およびブリッジ１０４を経由して送受信されるメッセージの経路である。
【００２５】
特に、メッセージ経路８２０は登録管理装置１０１から送信され、ＤＶＣ１０５またはディスプレイ装置１０６で受信される送信メッセージの経路を簡易的に示している。またメッセージ経路８２１は、ＤＶＣ１０５またはディスプレイ装置１０６から送信され、登録管理装置１０１で受信される送信メッセージの経路を簡易的に示している。
【００２６】
図９（ａ）は、本実施形態に係る通信システムの登録管理装置１０１のミドルウエアモジュール８０１に実装される登録情報管理部８０２を詳細に解説したブロック図である。図において、情報アクセス部９０１は、ネットワーク通信で登録管理装置１０１が参照するメッセージの宛先情報が格納されているデータベース８０３にアクセスする。また機能識別部９０２は、メッセージ経路８２１で受信したメッセージの送信元端末固有の通信機能を識別する。
【００２７】
装置選択部９０３は、機能識別部９０２による識別結果により、ＡＰ１０２およびＡＰ１０３の中から該当するＡＰを選択する。メッセージ送受信部９０４は、メッセージ経路８２０およびメッセージ経路８２１を制御する。
【００２８】
図９（ｂ）は、本発明の実施形態に係る通信システムの各端末装置、ＤＶＣ１０５またはディスプレイ装置１０６のミドルウエアモジュール８１１に実装される無線情報管理部８１２を詳細に解説したブロック図である。
【００２９】
図９（ｂ）において、情報アクセス部９１１は、ネットワーク通信でＤＶＣ１０５およびディスプレイ装置１０６が参照する各種の無線管理情報が格納されているデータベース８１３にアクセスする。
【００３０】
装置識別部９１２は、メッセージ経路８２０で受信したＡＰ１０２およびＡＰ１０３の無線パラメータ情報から該当するＡＰを識別する。また、メッセージ送受信部９１３は、メッセージ経路８２０およびメッセージ経路８２１を制御する。
【００３１】
図１０は、本発明の実施形態１を説明したネットワーク構成図である。特に、本実施形態における動作を行った後の通信システムにおけるＷＭＭ機能の未提供時のネットワーク状態を示したものであり、１０１〜１０６の通信装置は、図１と同じなので説明を省略する。
【００３２】
画面表示１００１は、ＷＭＭ機能非対応を示す場合に対するＤＶＣ１０５の画面表示の状態を示す。また画面表示１００２は、同様にＷＭＭ機能非対応を示す場合に対するディスプレイ装置１０６の画面表示の状態を示す。
【００３３】
図１０は、本発明実施形態における動作が行われた後に、ＤＶＣ１０５とディスプレイ装置１０６の装置との間において、ＡＰ１０２を介して動画伝送を実施していることを示している。図１４（ａ）は、本実施形態に係る通信システムの登録管理装置１０１のデータベース８０３を構成する各種格納データを詳細に解説したブロック図である。
【００３４】
ＡＰ選択情報１４０３は、システム内で管理している複数のＡＰ固有の無線機能（通信プロトコル、セキュリティ）および運用状態（電波干渉、電界強度等）をもとに推奨ＡＰを選択するためのＡＰ選択情報である。ＳＴＡ管理情報１４０２は、システム内で管理している複数の無線端末装置固有のＳＴＡ情報を管理する。
【００３５】
ＡＰ機能情報１４０４は、管理下にあるＡＰ固有のＡＰ機能情報であり、例えばＡＰ１０２の機能情報（「ＷＭＭ機能非対応」）、ＡＰ１０３の機能情報（「ＷＭＭ機能対応」）として格納する。無線パラメータ情報１４０５は、システム内で管理している複数のＡＰ固有の情報である。例えば、無線パラメータ情報１４０５には、ＡＰ１０２の暗号方式等のセキュリティ情報、無線チャネル、通信プロトコル情報、各端末に対する電界強度等の各種無線情報が格納されている。ＳＴＡ機能情報１４０６は、管理下にある複数の無線端末装置固有の情報であり、例えばＤＶＣ１０５の機能情報（「ＷＭＭ機能対応」）、ディスプレイ装置１０６の機能情報（「ＷＭＭ機能対応」）として格納する。
【００３６】
図１４（ｂ）は、通信システムのＤＶＣ１０５またはディスプレイ装置１０６のデータベース８１３を構成する各種格納データを詳細に解説したブロック図である。図１４（ｂ）においてＳＴＡ機能情報１４１１は、無線端末装置固有の情報であり、例えばＤＶＣ１０５の機能情報（「ＷＭＭ機能対応」）、ディスプレイ装置１０６の機能情報（「ＷＭＭ機能対応」）として格納する。
【００３７】
ＡＰ選択情報１４１２は、無線端末装置固有の無線機能（通信プロトコル、セキュリティ）および運用状態（電波干渉、電界強度等）をもとに推奨ＡＰを選択するための選択情報である。以下に、図１〜５、図７〜図１４を用いて実施形態１について説明する。
【００３８】
図３は、実施形態１の各装置間の処理動作を説明するシーケンスチャートである。図４は、ＤＶＣ１０５およびディスプレイ装置１０６の端末装置共通の処理動作に関するフローチャートであり、図５は登録管理装置１０１の処理動作に関するフローチャートである。
【００３９】
また、特に図７は、図４のＤＶＣ１０５およびディスプレイ装置１０６の端末装置固有のＡＰ選択処理について、ステップＳ４０７の詳細を説明するフローチャートである。図３に従って、動作フローを説明していく。Ｍ３０１において、ＤＶＣ１０５はＡＰ１０２との間で無線ＬＡＮプロトコルを用いて認証手続きを終え、アソシエーション状態にある。同様に、Ｍ３０２において、ディスプレイ装置１０６は、ＡＰ１０２との間で無線ＬＡＮプロトコルを用いて認証手続きを終え、アソシエーション状態にある。
【００４０】
上記アソシエーション状態において、無線パラメータ（ＲＰＭ:Ｒａｄｉｏ ＰａｒａＭｅｔｅｒ）情報を設定するために、ユーザーがＤＶＣ１０５および登録管理装置１０１のＲＰＭ設定開始操作（ＳＴＡＲＴ）を実施する。以下に、本発明における実施形態１の特徴である無線パラメータ設定処理手順３００について解説する。
【００４１】
ステップＭ３０３において、初めにＤＶＣ１０５が、無線パラメータ設定（以下「ＲＰＭ設定」と言う）開始操作を開始してから無線パラメータ設定要求（以下「ＲＰＭ設定要求」と言う）メッセージを登録管理装置１０１に要求するまでの処理について、図４のフロー図も用いて説明する。
【００４２】
Ｓ４０１において、ＤＶＣ１０５の入力部８１６が、ユーザーのボタン操作等によりＲＰＭ設定開始を検出すると、制御部８１４にその開始を通知する。更に制御部８１４は、無線情報管理部８１２に対して、ＲＰＭ設定要求メッセージを登録管理装置１０１に送信するように要請する。無線情報管理部８１２はこの要請を受け、情報アクセス部９１１を用いてデータベース８１３に格納されているＤＶＣ１０５固有のＳＴＡ機能情報１４１１を調べる。そして、通知すべきＳＴＡの機能情報を確認する。また無線情報管理部８１２は、通知すべき機能（例えば「ＷＭＭ（Ｗｉ-Ｆｉ Ｍｕｌｔｉｍｅｄｉａ）機能対応」）を含めてＲＰＭ設定要求メッセージを生成し、メッセージ送受信部９１３にこのＲＰＭ設定要求メッセージを送信要請する。
【００４３】
Ｓ４０２において、メッセージ送受信部９１３は、ＡＰ１０２で中継した送信メッセージ経路８２１でＲＰＭ設定要求メッセージを登録管理装置１０１に送信する。Ｓ４０３において、無線情報管理部８１２は、ＲＰＭ設定確認メッセージの受信待機時間を計時するための確認メッセージ受信タイマーを起動する。
【００４４】
Ｓ４０４において、無線情報管理部８１２は、メッセージ送受信部９１３でメッセージ受信待機処理設定後、受信タイムアウト確認状態に遷移する。次に、登録管理装置１０１が、ＲＰＭ設定開始操作を開始してから、ＲＰＭ設定要求メッセージ（Ｍ３０３）を受信して、ＲＰＭ設定確認メッセージ（Ｍ３０４）を返信するまでの処理について主に図５を用いて説明する。
【００４５】
Ｓ５０１において、登録管理装置１０１の入力部８０６が、ユーザーのキーボード等の操作により、ＲＰＭ設定開始を検出すると、制御部８０４に通知する。制御部８０４は、ＲＰＭ設定要求メッセージを受信するために登録情報管理部８０２に対してメッセージ受信待機処理の実施を要請する。
【００４６】
Ｓ５０２において、メッセージ受信待機処理の要請を受けた登録情報管理部８０２は、受信タイマーを起動する。Ｓ５０３において、メッセージ送受信部９０４でメッセージ受信待機処理設定後、受信タイムアウト確認状態に遷移する。このとき、登録情報管理部８０２は、一定時間の間に、ＲＰＭ設定要求メッセージ（Ｍ３０３）を受信しない場合（Ｓ５０３のＹｅｓ）、タイムアウト処理を実施後、ＲＰＭ設定開始操作を終了する。
【００４７】
Ｓ５０４において、メッセージ送受信部９０４は、一定時間の間に（Ｓ５０３のＮｏ）、ＲＰＭ設定要求メッセージ（Ｍ３０３）を受信したかをチェックする。Ｓ５０５において、メッセージ送受信部９０４はＲＰＭ設定要求メッセージを受信した場合、受信タイマーを停止する。
【００４８】
Ｓ５０６において、登録情報管理部８０２はＲＰＭ設定要求メッセージを解析する。  Ｓ５０７において、登録情報管理部８０２は、メッセージ解析の結果、通知機能情報（例えば「ＷＭＭ機能対応」）が含まれているかチェックする。Ｓ５０８において、通知機能情報（例えば「ＷＭＭ機能対応」）が含まれていた場合、以下に解説する「ＡＰ検索処理」を実行する。
【００４９】
「ＡＰ検索処理」は、始めに登録情報管理部８０２が、情報アクセス部９０１を用いてデータベース８０３に格納されているＡＰ管理情報１４０１を検索する。ＡＰ管理情報１４０１には、システム内の複数のＡＰに関するＡＰ機能情報１４０４がある。ここでは、ＡＰ１０２のＡＰ機能情報１４０４が（「ＷＭＭ機能非対応」）、またＡＰ１０３のＡＰ機能情報１４０４が、（「ＷＭＭ機能対応」）として格納されている。
【００５０】
ここで、登録情報管理部８０２は、機能識別部９０２を用いてＲＰＭ設定要求メッセージに含まれる通知機能情報より該当するＡＰ機能情報１４０４（例えば「ＷＭＭ機能対応」）を識別する。
【００５１】
その結果、Ｓ５０８において、登録情報管理部８０２は、装置選択部９０３を用いて該当するＡＰ１０３を選択する。以上が、ＲＰＭ要求メッセージＭ３０３に通知機能情報（例えば「ＷＭＭ機能対応」）が含まれていた場合に対する処理である。
【００５２】
一方、登録情報管理部８０２は、ＲＰＭ要求メッセージ解析の結果、通知機能情報（例えば「ＷＭＭ機能対応」）が含まれていない場合（Ｓ５０７のＮｏ）に対して、以下の処理を実行する。ここからの処理は後述の実施形態２の処理動作にも関連している。
【００５３】
登録情報管理部８０２は、情報アクセス部９０１を用いてデータベース８０３に格納されているＳＴＡ管理情報１４０２を検索する。ここでは、ＳＴＡ管理情報１４０２には、ＤＶＣ１０５のＳＴＡ機能情報１４０６（「ＷＭＭ機能対応」）が格納されている。
【００５４】
登録情報管理部８０２は、この検索の結果、登録された機能情報（例えば「ＷＭＭ機能対応」）が存在するか否かを判定し、存在する場合（Ｓ５１０のＹｅｓ）、同様に「ＡＰ検索処理」（Ｓ５０８）を実行する。
【００５５】
ステップＳ５０８において、登録情報管理部８０２は、第１選択手段であるＡＰ検索処理によりＤＶＣ１０５に対するＡＰ１０３の所定の無線パラメータ情報を検索し、利用可能なＡＰ１０３を選択する。そして、この選択されたＡＰ１０３の情報を含めてＲＰＭ設定確認メッセージ（Ｍ３０４）の送信処理を実施する。
【００５６】
この「送信処理」では、始めに登録情報管理部８０２が、情報アクセス部９０１を用いて、データベース８０３に格納されているＡＰ１０３の無線パラメータ情報１４０５を獲得する。登録情報管理部８０２はＲＰＭ設定確認メッセージを生成し、獲得したＡＰ１０３の無線パラメータ情報をメッセージに含め、メッセージ送受信部９０４に送信要請する。
【００５７】
Ｓ５０９において、メッセージ送受信部９０４では、ＲＰＭ設定確認メッセージ（Ｍ３０４）をＡＰ１０２で中継した送信メッセージ経路８２０でＤＶＣ１０５に送信する。次に、ＤＶＣ１０５が、ＲＰＭ設定確認メッセージ（Ｍ３０４）を登録管理装置１０１から受信した後の処理について、再び図４を用いて説明する。
【００５８】
Ｓ４０４で受信タイムアウト確認状態に遷移したＤＶＣ１０５の無線情報管理部８１２は、以下の処理を実行する。Ｓ４０５において、無線情報管理部８１２は、一定時間の間に、ＲＰＭ設定確認メッセージ（Ｍ３０４）を受信したかをチェックする。
【００５９】
Ｓ４０６において、無線情報管理部８１２は、ＲＰＭ設定確認メッセージ（Ｍ３０４）を受信した場合、受信タイマーを停止する。Ｓ４０７において、無線情報管理部８１２は、ＡＰ選択処理を実行する。
【００６０】
以降、図７を用いて、このステップＳ４０７に関するＡＰ選択処理について解説する。Ｓ７０１において、無線情報管理部８１２は、ＲＰＭ設定確認メッセージ（Ｍ３０４）を解析し、ＡＰに関する無線パラメータ情報を確認する。無線情報管理部８１２では、指定されたＡＰ１０３に関する無線パラメータ情報のみ確認される。つまり、Ｓ７０２において、「Ｎｏ」が選択される。
【００６１】
Ｓ７０７において、無線情報管理部８１２は、ＡＰ１０３の無線パラメータ情報を含む以下のＲＰＭ情報通知メッセージ（Ｍ３０５）の送信処理を実施する。この「送信処理」では、始めに無線情報管理部８１２が、ＲＰＭ情報通知メッセージを生成し、ＡＰ１０３の無線パラメータ情報をＲＰＭ情報通知メッセージメッセージにセットする。
【００６２】
ここで、再度図４のフロー図を用いて説明する。Ｓ４０８において、Ｓ４０７のＡＰ選択処理の結果、ＡＰ１０３の無線パラメータ情報がメッセージにセットされているので送信可能と判定する。
【００６３】
Ｓ４０９において、無線情報管理部８１２は、メッセージ送受信部９１３にＲＰＭ情報通知メッセージ（Ｍ３０５）の送信を要請する。そして、メッセージ送受信部９１３では、ＲＰＭ情報通知メッセージ（Ｍ３０５）をＡＰ１０２経由してディスプレイ装置１０６に送信する。
【００６４】
Ｓ４１０において、無線情報管理部８１２は、ＲＰＭ情報確認メッセージの受信待機時間を計時するための確認メッセージ受信タイマーを起動する。Ｓ４１１において、メッセージ送受信部９１３は、メッセージ受信待機処理設定後、受信タイムアウト確認状態に遷移する。以上が、本発明の特徴である図３における無線パラメータ設定処理手順３００に関する詳細説明である。
【００６５】
図３において、無線パラメータ設定処理の後、ＲＰＭ情報通知メッセージ（Ｍ３０５）を受信したディスプレイ装置１０６は、ＲＰＭ情報確認メッセージ（Ｍ３０６）をＡＰ１０２経由でＤＶＣ１０５に返信する。引き続き、ＤＶＣ１０５が、ＲＰＭ情報確認メッセージ（Ｍ３０６）をディスプレイ装置１０６から受信後、無線端末間でストリーム動画伝送を実施する処理について図４を用いて解説する。
【００６６】
Ｓ４１１で受信タイムアウト確認状態に遷移したＤＶＣ１０５の無線情報管理部８１２は、以下の処理を実行する。Ｓ４１２において、無線情報管理部８１２は、ＲＰＭ情報確認メッセージを確認したかチェックする。
【００６７】
Ｓ４１３において、無線情報管理部８１２は、一定時間の間にＲＰＭ情報確認メッセージ（Ｍ３０６）を受信した場合、受信タイマーを停止する。Ｓ４１４において、引き続き、無線情報管理部８１２は、ＡＰ１０３との間で無線パラメータ情報を用いて認証手続き、およびアソシエーション処理（Ｍ３０７）を実施する。同様に、ディスプレイ装置１０６もＡＰ１０３との間で無線パラメータ情報を用いて認証手続き、およびアソシエーション処理（Ｍ３０８）を実施する。
【００６８】
Ｓ４１５において、以降、サーバーであるＤＶＣ１０５とプレイヤーであるディスプレイ装置１０６の間では、ＡＰ１０３経由で「ＷＭＭ機能」を利用したストリーム動画伝送（Ｍ３０９）を実施する。Ｓ４１６において、図２に示すように、「ＷＭＭ機能」を利用した動画伝送時、ＤＶＣ１０５は、液晶表示画面の画面表示２０１として「ＷＭＭ機能」が有効である旨を表示する。同様に、ディスプレイ装置１０６は、液晶表示画面の画面表示２０２として「ＷＭＭ機能」が有効である旨を表示する。
【００６９】
次に図１０〜図１３を用いて、無線パラメータ設定処理手順３００ならびに、ストリーム動画伝送処理において、メッセージ受信タイムアウト等で「ＷＭＭ機能」が未提供となる場合の処理について解説する。
【００７０】
図１１は、例えば図４の動作フローにおいて、「ＷＭＭ機能」が未提供となる場合のメッセージフロー（その１）を示す。すなわち、ＲＰＭ設定確認メッセージＭ３０４受信時のタイムアウト（Ｓ４０４のＹｅｓ）により「ＷＭＭ機能」が未提供となる場合のシーケンスを示す。
【００７１】
Ｍ１１０１において、Ｓ４１７に対応する動作として、サーバーであるＤＶＣ１０５とプレイヤーであるディスプレイ装置１０６との間では、ＡＰ１０２経由でストリーム動画伝送を実施する。このときＤＶＣ１０５およびディスプレイ装置１０６における通信機能の有効／無効に関する表示処理について図１０も用いて説明する。
【００７２】
Ｓ４１８において、ＤＶＣ１０５は、「ＷＭＭ機能」が利用出来ないストリーム動画伝送のため、出力部８１７を用いて液晶表示画面の画面表示１００１に「ＷＭＭ機能」が無効である旨を表示する。
【００７３】
同様に、ディスプレイ装置１０６は、出力部８１７を用いて液晶表示画面の画面表示１００２に「ＷＭＭ機能」が無効である旨を表示する。図１２は、特に、システム内にＷＭＭ機能を備える該当ＡＰが存在しない場合（Ｓ４０８の「Ｎｏ」）のメッセージフローを説明するシーケンス図である。
【００７４】
Ｍ１２０１において、サーバーであるＤＶＣ１０５とプレイヤーであるディスプレイ装置１０６との間では、ＡＰ１０２経由でストリーム動画伝送を実施する。（Ｓ４１７に対応する動作）この場合、図１０に示すように、画面表示１００１と画面表示１００２に「ＷＭＭ機能」が無効である旨が、それぞれ表示される。（Ｓ４１８に対応する処理）また図１３は、ＲＰＭ情報確認メッセージＭ３０６受信時のタイムアウト（Ｓ４１１の「Ｙｅｓ」）により「ＷＭＭ機能」が未提供となる場合のメッセージフローを説明するシーケンス図である。
【００７５】
Ｍ１３０１において、サーバーであるＤＶＣ１０５とプレイヤーであるディスプレイ装置１０６との間では、ＡＰ１０２経由でストリーム動画伝送を実施する。（Ｓ４１７に対応する処理）また図１０において、ＤＶＣ１０５は、同様に「ＷＭＭ機能」が利用出来ないストリーム動画伝送のため、液晶表示画面の画面表示１００１に 「ＷＭＭ機能」が無効である旨を表示する。（Ｓ４１８に対応する処理）同様に、ディスプレイ装置１０６は、液晶表示画面の画面表示１００２に「ＷＭＭ機能」が無効である旨を表示する。（Ｓ４１８に対応する処理）
以上のように、実施形態１では、登録管理装置が端末装置からのＲＰＭ設定要求を受信し、その中のＷＭＭ機能情報を確認することで、その機能に対応したＡＰを選択する。登録管理装置が該端末装置へ選択したＡＰの設定確認情報を送ることで、誤ることなくＷＭＭ対応無線のＡＰを介した無線通信が可能となる。
【００７６】
＜実施形態２＞
図４、図５および図７は、実施形態１においても処理フローを説明するために用いたが、実施形態２の説明にも用いる。図６において、ＤＶＣ１０５のアソシエーション状態（Ｍ３０１）およびディスプレイ装置１０６のアソシエーション状態（Ｍ３０２）が既に完了しているのは実施形態１と同様である。
【００７７】
アソシエーション状態において、無線パラメータ（ＲＰＭ:Ｒａｄｉｏ ＰａｒａＭｅｔｅｒ）情報を設定するために、ユーザーがＤＶＣ１０５および登録管理装置１０１のＲＰＭ設定開始操作（ＳＴＡＲＴ）を実施する。
【００７８】
以下に、実施形態２の特徴である無線パラメータ設定処理手順６００について、解説する。ＤＶＣ１０５がＲＰＭ設定開始操作を開始してから、ＲＰＭ設定要求メッセージ（Ｍ６０１）を登録管理装置１０１に送信するまでの処理については、実施形態１で説明したＳ４０１〜Ｓ４０４までの処理と同じである。従って、これ以降の処理、すなわち、登録管理装置１０１によるＲＰＭ設定開始操作の開始から、ＲＰＭ設定要求メッセージ（Ｍ６０１）を受信しＲＰＭ設定確認メッセージ（Ｍ６０２）を返信する迄の処理につき説明する。
【００７９】
Ｓ５０１において、登録管理装置１０１の入力部８０６が、ユーザーのキーボード等の操作により、ＲＰＭ設定開始を検出すると、制御部８０４に通知する。Ｍ６０１の以降、登録管理装置１０１は、ＲＰＭ設定要求メッセージを受信し、図５の登録管理装置１０１の処理動作におけるＳ５０１のＲＰＭ設定開始してＳ５０６の解析処理を行うステップまでは、実施形態１と同じであるため説明を割愛する。
【００８０】
Ｓ５０６において、登録管理装置１０１は、ＲＰＭ設定要求メッセージ（Ｍ６０１）を受信した後、登録情報管理部８０２でメッセージを解析する。Ｓ５０７において、登録情報管理部８０２は、メッセージ解析の結果、通知機能情報（例えば「ＷＭＭ機能対応」）が含まれていない場合（Ｓ５０７の「Ｎｏ」）、以下の処理を実行する。
【００８１】
Ｓ５１０において、登録情報管理部８０２は、情報アクセス部９０１を用いてデータベース８０３に格納されているＳＴＡ管理情報１４０２を検索する。Ｓ５１１において、登録情報管理部８０２は、検索の結果、ＤＶＣ１０５に関する機能情報が未登録の場合、以下の処理を実行する。
【００８２】
登録情報管理部８０２は、システム内で管理している複数のＡＰに関する機能情報と無線パラメータ情報を送信することで、ＤＶＣ１０５が所望のＡＰを自律的に選択出来るようにする。登録情報管理部８０２は、情報アクセス部９０１を用いて、データベース８０３に格納されているＡＰに関するＡＰ機能情報１４０４にアクセスし、この「機能情報」を獲得する。
【００８３】
例えばここでは、ＡＰ機能情報１４０４には、ＡＰ１０２は、（「ＷＭＭ機能非対応」）が、またＡＰ１０３は、（「ＷＭＭ機能対応」）が格納されている。更に、「無線パラメータ情報」については、登録情報管理部８０２が、情報アクセス部９０１を用いてデータベース８０３に格納されている無線パラメータ情報１４０５にアクセスし、無線パラメータ情報を獲得する。例えば、無線パラメータ情報１４０５にはＡＰ１０２の暗号方式等のセキュリティ情報、無線チャネル、通信プロトコル情報、各端末に対する電界強度等の各種無線情報が格納されている。
【００８４】
Ｍ６０２において、登録情報管理部８０２はＲＰＭ設定確認メッセージ（Ｍ６０２）を生成する。引き続き、システム内で管理している複数のＡＰに関する機能情報と無線パラメータ情報をＲＰＭ設定確認メッセージに含め、メッセージ送受信部９０４に送信要請する。
【００８５】
Ｓ５０７において、登録情報管理部８０２は、メッセージ解析の結果、通知機能情報（例えば「ＷＭＭ機能対応」）が含まれている場合（Ｓ５０７の「Ｙｅｓ」）、以下の処理を実行する。Ｓ５０８において、該当するＡＰを検出し、ＲＰＭ設定確認メッセージを生成する。この場合の処理は、実施形態１と同様なので説明を割愛する。Ｓ５０９において、メッセージ送受信部９０４では、ＲＰＭ設定確認メッセージ（Ｍ６０２）をＡＰ１０２で中継した送信メッセージ経路８２０でＤＶＣ１０５に送信する。
【００８６】
次に、ＤＶＣ１０５が、ＲＰＭ設定確認メッセージ（Ｍ６０２）を登録管理装置１０１から受信した後の処理について説明する。図４のＳ４０４において、受信タイムアウト確認状態に遷移したＤＶＣ１０５の無線情報管理部８１２は、以下の処理を実行する。
【００８７】
Ｓ４０５において、無線情報管理部８１２は、一定時間の間にＲＰＭ設定確認メッセージ（Ｍ６０２）を受信したかチェックする。Ｓ４０６において、ＲＰＭ設定確認メッセージ（Ｍ６０２）を受信した場合、受信タイマーを停止する。
【００８８】
Ｓ４０７において、引き続き無線情報管理部８１２は、ＡＰ選択処理を実行する。以降、図７を用いて実施形態２におけるＡＰ選択処理（Ｓ４０７）について詳細を解説する。Ｓ７０１において、無線情報管理部８１２は、ＲＰＭ設定確認メッセージ（Ｍ６０２）を解析し、ＡＰに関する無線パラメータ情報を確認する。Ｓ７０２において、無線情報管理部８１２は、ＡＰが複数あるか否かをする。
【００８９】
Ｓ７０３において、ＡＰが複数存在する場合、無線情報管理部８１２は、第２選択手段によりその複数のＡＰを選択し、複数のＡＰに関する機能情報と無線パラメータ情報を確認する。その結果、無線情報管理部８１２は、自身の情報アクセス部９１１を用いてデータベース８１３に格納されている、ＤＶＣ１０５固有のＳＴＡ機能情報１４１１へアクセスし、固有のＳＴＡ機能情報を確認する。このとき、例えばＳＴＡ機能情報１４１１には、（「ＷＭＭ機能対応」）と格納されており、無線情報管理部８１２は、指定機能あり（Ｓ７０３のＹｅｓ）と判定する。
【００９０】
その結果、無線情報管理部８１２は、装置識別部９１２を用いてＲＰＭ設定確認メッセージＭ６０２に含まれる通知機能情報より該当するＡＰ１０３を識別する。Ｓ７０７において、無線情報管理部８１２は、該当するＡＰ１０３の無線パラメータ情報を含む以下のＲＰＭ情報通知メッセージ（Ｍ３０５）の送信処理を実施する。「送信処理」は、始めに無線情報管理部８１２が、ＲＰＭ情報通知メッセージを生成し、該当するＡＰ１０３の無線パラメータ情報をメッセージにセットする。
【００９１】
また、Ｓ４０７のＡＰ選択処理の結果、該当するＡＰ１０３の無線パラメータ情報がメッセージにセットされているので（Ｓ４０８のＹｅｓ）送信可能と判断する。Ｓ４０９において、無線情報管理部８１２は、メッセージ送受信部９１３にＲＰＭ情報通知メッセージ（Ｍ３０５）の送信を要請する。メッセージ送受信部９１３は、ＲＰＭ情報通知メッセージ（Ｍ３０５）をＡＰ１０２経由してディスプレイ装置１０６に送信する。
【００９２】
Ｓ４１０において、無線情報管理部８１２は、返信を期待する確認メッセージ受信タイマーを起動する。Ｓ４１１において、メッセージ送受信部９１３は、メッセージ受信待機処理設定後、受信タイムアウト確認状態に遷移する。
【００９３】
以上、本発明における実施形態２の特徴である無線パラメータ設定処理手順６００に関する詳細説明である。また、以降の無線端末間でストリーム動画伝送（Ｍ３０９）を実施する処理については、実施形態１と同様であるため割愛する。
【００９４】
以上のように、実施形態２では、端末装置からのＲＰＭパラメータ設定要求に機能情報が含まれていない場合についても対処できる。すなわち、登録管理装置は、自身で格納する、ネットワークの複数のアクセスポイントに関する機能情報と無線パラメータ情報をＲＰＭ設定確認メッセージに含め端末装置へ送る。そして端末装置では、このメッセージからＷＭＭ機能のあるアクセスポイントを選択し、そのアクセスポイントに通信接続することで、誤ることなくＷＭＭ対応無線のアクセスポイントを介した無線通信が可能となる。
【００９５】
＜実施形態３＞
以下に、図１、図２、図４〜図９および図１４を用いて実施形態３を説明する。図６は、本発明の実施形態３を説明するシーケンスチャートである。図４、図５および図７は、実施形態１や２においても処理フローを説明するために用いたが、実施形態３の説明にも用いる。
【００９６】
図７は、図４のＤＶＣ１０５およびディスプレイ装置１０６の端末装置固有のアクセスポイント選択処理（Ｓ４０７）の詳細を説明したフローチャートであり、実施形態３においても参照する。
【００９７】
図６において、ＤＶＣ１０５のアソシエーション状態（Ｍ３０１）およびディスプレイ装置１０６のアソシエーション状態（Ｍ３０２）が既に完了しているのは実施形態１、２と同様である。
【００９８】
このアソシエーション状態において、無線パラメータ（ＲＰＭ:Ｒｅｄｉｏ ＰａｒａＭｅｔｅｒ）情報を設定するために、ユーザーがＤＶＣ１０５および登録管理装置１０１のＲＰＭ設定開始操作（ＳＴＡＲＴ）を実施する。
【００９９】
以降、ＤＶＣ１０５においてＲＰＭ設定確認メッセージ（Ｍ６０２）を受信した後、図４の受信タイマーを停止するステップＳ４０６までは、実施形態２と同様に処理されるため、説明を割愛する。
【０１００】
以下に、本発明における実施形態３の特徴であるアクセスポイント選択処理（Ｓ４０７）について、図７を用いて解説する。Ｓ７０１において、無線情報管理部８１２は、ＲＰＭ設定確認メッセージ（Ｍ６０２）を解析し、ＡＰに関する無線パラメータ情報を確認する。
【０１０１】
Ｓ７０２において、無線情報管理部８１２は、アクセスポイントが複数あるかチェックする。Ｓ７０３において、無線情報管理部８１２は、複数のＡＰに関する機能情報と無線パラメータ情報を確認する。その結果、無線情報管理部８１２は、自身の情報アクセス部９１１を用いてデータベース８１３に格納されている、ＤＶＣ１０５固有のＳＴＡ機能情報１４１１を確認する。このとき、ＳＴＡ機能情報１４１１には、（「未登録」）と格納されており、無線情報管理部８１２は、指定機能なしと判断する。
【０１０２】
Ｓ７０４において、無線情報管理部８１２は、情報アクセス部９１１を用いてデータベース８１３に格納されているＤＶＣ１０５固有のＡＰ選択情報１４１２を確認する。このとき、ＡＰ選択情報１４１２には、ＡＰの無線パラメータ情報内でＤＶＣ１０５が所定の優先条件である無線関連情報が格納されている。ここでいう優先すべき無線関連情報とは、接続すべきＡＰの判断条件（Ｓ７０５、Ｓ７０８、Ｓ７１０、Ｓ７１２）であり、例えば、"電界強度（Ｓ７０５）"の場合、電波状況の良好なＡＰが優先されることを示す。また、"電波干渉の回避（Ｓ７０８）"の場合、使用する無線チャネルから変更することで干渉を回避可能なＡＰが優先されることを示す。また、"セキュリティ情報（暗号方式）（Ｓ７１０）"の場合、使用する無線の暗号化方式が一致するＡＰが優先されることを示す。また、"通信プロトコル（Ｓ７１２）"の場合、通信帯域が確保可能な例えばIEEE802.11a/b/g/nの何れかの通信プロトコルをサポートするＡＰが優先されることを示す。といった無線機能および運用状態に関するものである。
【０１０３】
その結果、無線情報管理部８１２は、第３選択手段である装置識別部９１２を用いて、ＲＰＭ設定確認メッセージＭ６０２に含まれる無線パラメータ情報より優先すべき無線関連情報に該当するＡＰを識別する。
【０１０４】
Ｓ７０５において、装置識別部９１２は、優先すべき無線関連情報が、"電界強度"の場合、Ｓ７０６の移行する。Ｓ７０６において、装置識別部９１２は、電界強度が最大のＡＰを選択する。
【０１０５】
Ｓ７０８において、装置識別部９１２は、優先すべき無線関連情報が、"電波干渉の回避"の場合、Ｓ７０９に移行する。Ｓ７０９において、装置識別部９１２は、現在使用中の無線チャネルの干渉を回避可能な、干渉レベルが最小になるＡＰを選択する。
【０１０６】
Ｓ７１０において、装置識別部９１２は、優先すべき無線関連情報が、"セキュリティ情報（暗号方式）"の場合Ｓ７１１に移行する。Ｓ７１１において、装置識別部９１２は、該当する暗号方式のＡＰを選択する。
【０１０７】
Ｓ７１２において、装置識別部９１２は、優先すべき無線関連情報が、"通信プロトコル"の場合、Ｓ７１３に移行する。Ｓ７１３において、装置識別部９１２は、該当する帯域確保が可能な通信プロトコルを使用するＡＰを選択する。
【０１０８】
Ｓ７０７において、無線情報管理部８１２は、優先すべき無線関連情報の条件により選択した該当するＡＰの無線パラメータ情報を含む以下のＲＰＭ情報通知メッセージ（Ｍ３０５）の送信処理を実施する。この「送信処理」は、無線情報管理部８１２が、ＲＰＭ情報通知メッセージを生成し、該当するＡＰの無線パラメータ情報を送信メッセージにセットする。
【０１０９】
Ｓ７１２において、無線情報管理部８１２は、優先条件より該当するＡＰが選択出来ない場合、Ｓ７１４に移行する。Ｓ７１４において、以下のＲＰＭ情報通知メッセージ（Ｍ３０５）の送信処理を実施する。この「送信処理」は、無線情報管理部８１２が、ＲＰＭ情報通知メッセージを生成し、ＡＰの無線パラメータ情報を送信メッセージにセットしない。
【０１１０】
以上のように、実施形態３の構成をとることで、実施携帯２と同様、端末装置からのＲＰＭパラメータ設定要求に機能情報が含まれていない場合について対処できる。実施形態２と異なるのは、登録管理装置から送られた複数のアクセスポイントの機能情報と無線パラメータ情報を解析し、端末装置側で、ＷＭＭの機能だけでなく、電界強度条件、電波干渉条件、セキュリティ条件、または通信プロトコル条件などの諸条件に照らしてＡＰを選択し、そのアクセスポイントへ通信接続する。この構成をとることで、誤ることなく、より効率的にＷＭＭ対応無線のアクセスポイントを介した無線通信が可能となる。
【０１１１】
＜実施形態４＞登録管理装置におけるＡＰ選択条件
図７の実施形態３の処理については、ＤＶＣ１０５の無線情報管理部８１２が、装置識別部９１２を用いて、該当するＡＰを識別するＡＰ選択処理（Ｓ４０７）を説明した。
【０１１２】
また、優先すべき無線関連情報は、接続すべきＡＰの判断条件（Ｓ７０５，Ｓ７０８，Ｓ７１０，Ｓ７１２）であり、例えば「電界強度条件」は、電波状況の良好なＡＰが優先されることを示す。また、「電波干渉の回避条件」は、使用する無線チャネルから変更することで干渉を回避可能なＡＰが優先されることを示す。また、「セキュリティ情報（暗号方式）条件」は、使用する無線の暗号化方式が一致するＡＰが優先されることを示す。そして、「通信プロトコル条件」は、通信帯域が確保可能な例えばIEEE802.11a/b/g/nの何れかの通信プロトコルをサポートするＡＰが優先されることを示し、これらを選択条件としている。
【０１１３】
選択に当たっては、無線情報管理部８１２が、情報アクセス部９１１を用いてデータベース８１３に格納されている、ＤＶＣ１０５固有のＡＰ選択情報１４１２にアクセスし、ＡＰを確認する（Ｓ７０４）ように説明されていた。
【０１１４】
しかし、この選択は、以上のようにＤＶＣ１０５内で行うのではなく、登録管理装置１０１の登録情報管理部８０２により、装置選択部９０３を用いて該当するＡＰが選択されるように（ステップＳ５０８）構成しても良い。
【０１１５】
より詳細には、実施形態４では、ＡＰを選択する際に、登録管理装置１０１の登録情報管理部８０２が情報アクセス部９０１を用いてデータベース８０３に格納されている、ＡＰ選択情報１４０３にアクセスし、ＡＰの選択情報を確認するように構成する。
【０１１６】
その結果、登録管理装置１０１においても実施形態３で説明した"電界強度"、"電波干渉の回避"、"セキュリティ情報（暗号方式）"、"通信プロトコル"をＡＰの選択条件とすることができることは言うまでもない。
【０１１７】
＜その他＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011019195.tif 000003
【図２】
2011019195.tif 000004
【図３】
2011019195.tif 000005
【図４】
2011019195.tif 000006
【図５】
2011019195.tif 000007
【図６】
2011019195.tif 000008
【図７】
2011019195.tif 000009
【図８】
2011019195.tif 000010
【図９】
2011019195.tif 000011
【図１０】
2011019195.tif 000012
【図１１】
2011019195.tif 000013
【図１２】
2011019195.tif 000014
【図１３】
2011019195.tif 000015
【図１４】
2011019195.tif 000016